(57)【要約】【課題】顧客の指定する加飾要求情報によりレーザ加飾する場合に、顧客が加飾後の予想外観画像を確認することができる商品画像表示確認システムを提供する。【解決手段】レーザ加飾サービスサーバ１は、対象商品に応じた商品の形状データ１ａと、レーザ加飾に使用されるレーザの特性情報を含むレーザ加工条件１ｂと、レーザ加飾商品画像生成手段Ａとを備え、通信ネットワークを通じてアクセスしてきた通信端末器２からレーザ加飾指定情報操作画面を操作してなされた、所定の加飾要求を受け付けたときには、レーザ加飾商品画像生成手段Ａを作動して、通信端末器２から受け付けた加飾要求に従って、指定された対象商品にレーザ加飾が施された後の外観画像データを生成して、通信端末器２に返信させる構成にしている。【選択図】図１
2005177839.tif 000002
【特許請求の範囲】
【請求項１】
レーザ加飾サービスサーバを通信ネットワーク上に設置して構成され、
上記レーザ加飾サービスサーバは、レーザ加飾を施すべき対象商品、その位置、色、模様を指定させるためのレーザ加飾指定情報操作画面の構成情報と、対象商品に応じた商品の形状データと、レーザ加飾に使用されるレーザの特性情報を含むレーザ加工条件とを少なくとも保存し、かつレーザ加飾商品画像生成手段とを備えており、
上記レーザ加飾サービスサーバは、上記通信ネットワークを通じてアクセスしてきた通信端末器から上記レーザ加飾指定情報操作画面を操作してなされた、所定の加飾要求を受け付けたときには、上記レーザ加飾商品画像生成手段を作動して、上記通信端末器から受け付けた上記加飾要求に従って、指定された対象商品にレーザ加飾が施された後の外観画像データを生成して、上記通信端末器に返信させる構成にしている、レーザ加飾後の商品画像表示確認システム。
【請求項２】
請求項１において、
上記レーザ加飾サービスサーバは、上記通信端末器からの変更調整要求を、上記レーザ加飾指定情報操作画面の操作を通じて受け付けて、上記レーザ加飾商品画像生成手段によって生成されたレーザ加飾後の商品外観画像を更新する機能を備えている、レーザ加飾後の商品画像表示確認システム。
【請求項３】
請求項１、２のいずれかにおいて、
上記レーザ加工条件には、上記加飾要求に従ったレーザ加飾を行うために必要な色・濃度情報を含んでいる、レーザ加飾後の商品画像表示確認システム。
【請求項４】
レーザ加飾サービスサーバを通信ネットワーク上に設置して構成され、
上記レーザ加飾サービスサーバは、
レーザ加飾を施すべき対象商品、その位置、色、模様を指定させるためのレーザ加飾指定情報操作画面の構成情報と、対象商品に応じた商品の形状データと、レーザ加飾に使用されるレーザの特性情報を含むレーザ加工条件とを少なくとも保存し、かつレーザ加飾商品画像生成手段とを備えており、かつ
上記通信ネットワークを通じてアクセスしてきた通信端末器から上記レーザ加飾指定情報操作画面を操作してなされた、所定の加飾要求を受け付けたときには、上記レーザ加飾商品画像生成手段を作動して、上記通信端末器から受け付けた上記加飾要求に従って、指定された対象商品にレーザ加飾が施された後の外観画像データを生成して、上記通信端末器に返信するようになっており、更に、
上記外観画像データを受信して上記レーザ加飾指定情報操作画面に表示された外観画像にもとづいて要求された商品発注要求を受け付けたときには、その商品発注に従って、レーザ加飾装置を駆動させるための加工制御データを自動的に生成する構成にしている、レーザ加飾支援制御システム。
【請求項５】
請求項４において、
上記レーザ加飾サービスサーバは、上記通信端末器からの変更調整要求を、上記レーザ加飾指定情報操作画面の操作を通じて受け付けて、上記レーザ加飾商品画像生成手段によって生成されたレーザ加飾後の商品外観画像を更新する機能を備えている、レーザ加飾支援制御システム。
【請求項６】
請求項４、５のいずれかにおいて、
上記レーザ加工条件には、上記加飾要求に従ったレーザ加飾を行うために必要な色・濃度情報を含んでいる、レーザ加飾支援制御システム。
【発明の詳細な説明】
【技術分野】
【０００１】
本発明は、レーザの照射により加飾した商品を顧客に提供するための通信ネットワークを使用した、レーザ加飾後の商品画像表示確認システムおよびレーザ加飾支援制御システムに関するものである。
【背景技術】
【０００２】
レーザ加飾技術は、成形品の表面にレーザを照射し、鮮明な着色と平滑性および光沢のある加飾を施すことのできる技術で、従来のシルク印刷、タンポ印刷と比較して、自動化、省力化、コスト低減を図ることができるものであり、現在では成形品製造業者等において、商品に刻印や模様などを施す方法として利用されている。
【０００３】
また近年、インターネットの普及により、顧客のパソコンから商品に施す電子画像データを送信してもらい、その画像をもとに商品に対してレーザ加飾をするようにしたネットワークシステムも開発されている。次に示す特許文献１には、インターネットを利用した、宝石類に対する画像情報のレーザマーキング方法が記載されている。
【特許文献１】特開２００２−８６９９８号公報
【発明の開示】
【発明が解決しようとする課題】
【０００４】
ところが、この種の電子データの提供によるレーザ加飾方法では、顧客から送られてきた画像データのドット間隔の方がレーザのドット間隔よりも小さいため、レーザにより加飾された商品マーキングが、画像データで指定したものと比較すると、色の濃淡や画質が微妙に異なってしまう場合がある。
【０００５】
また、レーザ加飾のマーキング色は商品表面に照射するレーザの波長により、また濃度はレーザのパワーにより決定されるため、レーザ加工条件の調整の仕方によれば、レーザ加飾された模様等が顧客から送信されてくる実際の画像と色や濃度の点で異なってしまう場合もある。
【０００６】
更に、レーザ加飾では色の３原色の組み合わせによりフルカラー画像を形成することもできるが、組み合わせの微妙な調整誤差により、要求されたフルカラー画像とは異なった色となってしまう場合もある。
【０００７】
要するに、顧客が画像により色や模様を特定しても、特定したものがそのままの色や濃度で加飾されるわけではなく、レーザ加工条件によるなんらかの変換がなされるため、顧客は電子データを提供する際に予めそのような想定をしなければならず、要望どおりの出来上がりにしようとすれば、上記のようなレーザ加飾の特性を加味したうえで、加飾すべき画像データを提供し、確認する必要があった。
【０００８】
本発明は、このような問題を解決すべく提案されたもので、第１の目的は、顧客の指定する加飾要求によりレーザ加飾する場合に、顧客が加飾後の予想外観画像を確認することができ、更に加飾データを調整することのできる商品画像表示確認システムを提供することにある。
【０００９】
また、顧客がレーザ加飾後の画像に満足して商品発注した場合に、レーザ加工装置を駆動させるためのデータを自動生成するレーザ加飾支援制御システムを提供することを第２の目的とする。
【課題を解決するための手段】
【００１０】
上記第１の目的を達成するために、第一の本発明が提案される。ここに、第一の本発明を提案する請求項１に記載のレーザ加飾後の商品画像表示システムは、レーザ加飾サービスサーバを通信ネットワーク上に設置して構成され、レーザ加飾サービスサーバは、レーザ加飾を施すべき対象商品、その位置、色、模様を指定させるためのレーザ加飾指定情報操作画面の構成情報と、対象商品に応じた商品の形状データと、レーザ加飾に使用されるレーザの特性情報を含むレーザ加工条件とを少なくとも保存し、かつレーザ加飾商品画像生成手段とを備えている。
【００１１】
レーザ加飾サービスサーバは、通信ネットワークを通じてアクセスしてきた通信端末器からレーザ加飾指定情報操作画面を操作してなされた、所定の加飾要求を受け付けたときには、レーザ加飾商品画像生成手段を作動して、通信端末器から受け付けた加飾要求に従って、指定された対象商品にレーザ加飾が施された後の外観画像データを生成して、通信端末器に返信させる構成にしている。
【００１２】
すなわち、通信端末器側では、加飾する商品や位置、色、模様などを指定できるようになっており、更に、その指定した情報にもとづいてシミュレートされたレーザ加飾後の商品外観イメージである合成画像を、表示プログラム等を介して確認することができるようになっている。
【００１３】
請求項２では、請求項１において、レーザ加飾サービスサーバは、通信端末器からの変更調整要求を、レーザ加飾指定情報操作画面の操作を通じて受け付けて、レーザ加飾商品画像生成手段によって生成されたレーザ加飾後の商品外観画像を更新する機能を備えている。
【００１４】
請求項３では、請求項１または２において、レーザ加工条件には加飾要求に従ったレーザ加飾を行うために必要な色・濃度情報を含んでいる。
【００１５】
また、上記第２の目的を達成するために、第二の本発明が提案される。ここに、第二の本発明を提案する請求項４に記載のレーザ加飾支援制御システムは、レーザ加飾サービスサーバを通信ネットワーク上に設置して構成され、レーザ加飾サービスサーバは、レーザ加飾を施すべき対象商品、その位置、色、模様を指定させるためのレーザ加飾指定情報操作画面の構成情報と、対象商品に応じた商品の形状データと、レーザ加飾に使用されるレーザの特性情報を含むレーザ加工条件とを少なくとも保存し、かつレーザ加飾商品画像生成手段とを備えている。
【００１６】
ここに、レーザ加飾サービスサーバは、通信ネットワークを通じてアクセスしてきた通信端末器からレーザ加飾指定情報操作画面を操作してなされた、所定の加飾要求を受け付けたときには、レーザ加飾商品画像生成手段を作動して、通信端末器から受け付けた加飾要求に従って、指定された対象商品にレーザ加飾が施された後の外観画像データを生成して、通信端末器に返信するようになっており、更に、外観画像データを受信してレーザ加飾指定情報操作画面に表示された外観画像にもとづいて要求された商品発注要求を受け付けたときには、その商品発注に従って、レーザ加飾装置を駆動させるための加工制御データを自動的に生成する構成にしている。
【００１７】
すなわち、本発明システムは、顧客の通信端末器にレーザ加飾後の画像を表示させるだけではなく、顧客からの発注も受け付けるようになっており、発注要求を受け付ければレーザ加飾装置を駆動させるための加工制御データを自動生成するように構成されている。
【００１８】
更に、請求項５では、請求項４において、レーザ加飾サービスサーバは、通信端末器からの変更調整要求をレーザ加飾指定情報操作画面の操作を通じて受け付けて、レーザ加飾商品画像生成手段によって生成されたレーザ加飾後の商品外観画像を更新する機能を備えている。
【００１９】
また、請求項６では、請求項４、５のいずれかにおいて、レーザ加工条件には加飾要求に従ったレーザ加飾を行うために必要な色・濃度情報を含んでいる。
【発明の効果】
【００２０】
第一の本発明システムによれば、レーザ加飾サービスサーバが通信端末器から送信されてきた、顧客が要求している加飾対象商品および位置、色、模様を含む加飾要求に従って、予め保存した商品形状データ、レーザ加工条件データとにもとづいて生成した加飾合成画像を通信端末器に表示させるようにしているので、顧客はレーザ加飾後の商品外観画像を自身のパソコン等で確認することができる。
【００２１】
画像や色、模様等の情報にもとづいてレーザ加飾を施す場合、レーザの加工条件により色や模様を決定するため、出来上がり加飾の色や模様、画質が提供されたものの許容範囲に入るかどうかは、最終的な商品を見なければわからないが、本発明によれば、顧客は、提供した加飾要求と、商品の形状データ、レーザ加工条件とにもとづいて生成された予想画像を自身のパソコン等の通信端末器画面で事前に視認することができるので、そのレーザ加飾商品を発注すべきかどうか、あるいは調整が必要かどうかの判断を即座に行うことができる。
【００２２】
請求項２では、顧客の通信端末器で操作画面を通じて送信されてきた変更調整要求にもとづいて、レーザ加飾後の商品外観画像を更新するようにしているので、顧客は表示されたものを確認しながら、要求しているものに近づけることができる。
【００２３】
請求項３では、サービスサーバはレーザ加工条件として色・濃度情報を有しているので、加飾可能な色や濃度を特定することができる。
【００２４】
また、第二の本発明によれば、請求項１と同様にレーザ加飾後の商品外観画像を表示させているので同様の効果を奏するとともに、レーザ加飾装置を駆動させるための加工制御データを自動的に生成しているので、そのデータをレーザ加飾装置に提供することができ、レーザ加飾装置を含むシステムに接続すれば、レーザ加工までの一連の作業のシステム化が実現でき、迅速かつ確実なレーザ加飾を実施することができる。
【００２５】
請求項５では、顧客の通信端末器で操作画面を通じて送信されてきた変更調整要求にもとづいて、レーザ加飾後の商品外観画像を更新するようにしているので、顧客は画面上に表示されたものを確認しながら要求しているものに近づけることができ、その結果、顧客が要望しているレーザ加工を実施することができる。
【００２６】
請求項６では、サービスサーバはレーザ加工条件として色・濃度情報を有しているので、加飾可能な色や濃度を特定することができる。
【発明を実施するための最良の形態】
【００２７】
以下に、本発明を実施するための最良の形態について添付図面とともに説明する。次に説明する実施例には、レーザ加飾後の商品画像を確認させるための表示確認システム（第一の発明）と、第一の発明を包含し、更に加工制御データを生成するようにしたレーザ加飾支援制御システム（第二の発明）とが含まれる。
【実施例１】
【００２８】
図１は、本発明のレーザ加飾支援制御システムの実施形態の一例を示したシステム系統図である。ここに説明するレーザ加飾支援制御システム（第二の発明）例は、レーザ加飾後の商品画像を確認させるための表示確認システム（第一の発明）を包含し、更に加工制御データを生成するようにしたものである。
【００２９】
レーザ加飾支援制御システムは、レーザ加飾サービスサーバ１と、レーザ加飾を発注する顧客が使用するパソコン等の通信端末器２とが、インターネット等の通信ネットワークを介して接続されて構成されている。
【００３０】
インターネット等を使用しているため、レーザ加飾サービスサーバ１／通信端末器２間は双方向通信可能であり、通信端末器２はレーザ加飾サービスサーバ１に対して画像データ等による加飾要求や、発注要求を送信する（図中（Ａ））一方、レーザ加飾サービスサーバ１は通信端末器２に対して、送られてきた加飾要求にもとづいて画像を生成し、生成したレーザ加飾後の外観画像を返信する（図中（Ｂ））動作を実行する。
【００３１】
レーザ加飾サービスサーバ１は、加飾対象の商品、その位置、色、模様を含む加飾要求を通信端末器２から指定させるためのレーザ加飾指定情報操作画面の構成情報（不図示）と、顧客が指定した加飾要求にもとづいて、商品の形状を特定するための商品形状データ１ａと、色や模様を決定するためのレーザ加工条件データ１ｂとを予め保存している。
【００３２】
レーザ加工条件データ１ｂは、加飾可能な色や濃度を決定するための色・濃度情報と、加飾に使用するレーザの特性情報とを含んでいる。色・濃度情報としては、たとえばレーザのパワー、波長と濃度、色とが対応付けられたテーブルデータが保存されており、レーザ特性情報としてはドット間隔、ドット径データが保存されている。なお、色・濃度情報として、指定された色を表出するためにコーティングすべき樹脂の種別情報等を有してもよい。
【００３３】
レーザ加飾サービスサーバ１は、ＣＰＵおよびプログラム等で構成されたレーザ加飾商品画像生成手段Ａを備えており、加工条件データにより、提供された画像等の電子データからレーザで加飾可能な濃度や色のドットデータに変換し、対象商品の形状データと合成して外観画像のデータを生成し、その画像データを通信端末器２に返信する。画像データの生成動作の詳細については、図４とともに後述する。
【００３４】
また、レーザ加飾サービスサーバ１では、受注が確定した場合には、実際に商品に対してレーザ加飾を施すための加工制御データを生成し、これをレーザ加飾システム３に提供する。加工制御データの生成動作の詳細については、図５とともに後述する。
【００３５】
顧客は、通信端末器２でブラウザを稼動してサービスサーバ１をアクセスし、サービスサーバ１のホームページを表示させて画像を提供したり、返信されてきた合成画像を確認したりする。
【００３６】
図２には、ホームページをアクセスして実施するレーザ加飾支援制御システムの操作・動作フローチャートを示している。
【００３７】
顧客の通信端末器２では、ブラウザを稼動してレーザ加飾サービスサーバ１をアクセスすると、サービスサーバ１からダウンロードされたデータによりレーザ加飾指定情報操作画面（サービスメニュー）が表示され、そのサービスメニュー画面で加飾対象商品および加飾位置を選択し、加飾用の色、濃度、模様を指定した情報（たとえばカラー画像）を指定して送信すると、サービスサーバ１では、送られてきた加飾要求にもとづいてレーザ加飾後の外観画像データを生成し、これを通信端末器２に返送する。
【００３８】
次に、通信端末器２では、返送されてきた外観画像を顧客が視認して調整が必要かどうかを判断し、調整要であれば同様の操作を繰り返し、納得のいく加飾後の外観画像が確認できれば、発注要求を送信する。
【００３９】
サービスサーバ１では、生成、調整された最終的な加飾データにより、レーザ装置を制御するための加工制御データを生成し、これをレーザ加飾システム３に提供する。
【００４０】
図３は、通信端末器での画面操作手順の一例を示す図である。（ａ）は商品および加飾位置の選択画面、（ｂ）は画像データの選択画面、（ｃ）は合成画像の確認画面、（ｄ）は商品発注画面である。このような画面構成データは、サービスサーバ１に保存されている。
【００４１】
顧客が指定する色や濃度は、通信端末器２にスキャナ取り込みしたデータや、デジタルカメラで撮影したデータなどの画像データでもよいし、直接選択させるようにしたものでもよい。模様についても、サービスサーバ１で準備したものの中から選ばせるようにしてもよい。
【００４２】
なお、画像の変更調整を行うために、同様の要求操作を繰り返してもよいが、色や濃度、画質等を個別に調整できるようにしたレーザ加飾指定情報操作画面を設けてもよい。
【００４３】
図４は、レーザ加飾サービスサーバの外観画像データの生成処理を示すフローチャートである。
【００４４】
レーザ加飾サービスサーバ１は、通信端末器２からの加飾要求を受信すると、ステップ１０１〜１０４に示す次の動作を順次実行する。
＜形状の特定＞加飾要求に含まれる指定された加飾対象商品に合致する形状データを、商品形状データ１ａより取得する。
＜色、模様の決定＞加飾要求に含まれる指定された画像データにもとづいて、その画像の濃度、色を表現するのに最も近似している濃度、色に対応したレーザのパワー、波長をレーザ加工条件データ１ｂより決定し、その条件で加工した場合のレーザのドット径によるカラー（赤、緑、青）のドットデータを生成する。
３次元形状に加飾を施すためには、２次元のドットデータを加飾する位置の３次元の形状に合わせて変換する。具体的には、２次元におけるドット間距離を３次元の形状においても保つように、ドットの位置を決定する。
＜合成画像データの生成＞抽出された形状データと生成されたドットデータとを、コンピュータグラフィック技術により合成し、商品外観画像データを生成し、その合成画像データ、決定したレーザのパワー、波長データおよび加飾位置データを加飾データ１ｃに保存する。なお、合成する画像は３次元画像が望ましいが、２次元画像でもよい。
＜送信＞上記の外観画像データを要求のあった通信端末器２に返信する。
【００４５】
通信端末器２では、返信されてきた画像がブラウザで表示されるため、要求にもとづいてレーザ加飾した場合の予想完成イメージをすぐに確認することができる。
【００４６】
画像や色、模様等の情報にもとづいてレーザ加飾を施す場合、上記のようにレーザの加工条件に従って色や模様を決定するため、出来上がり加飾の色や模様、画質が提供されたものの許容範囲に入るかどうかは、最終的な加工商品を見なければわからないが、本発明によれば、顧客は、提供した加飾要求情報とレーザ加工条件とにもとづいて生成された外観画像を自身のパソコン等で事前に視認することができるので、そのレーザ加飾商品を発注すべきかどうか、あるいは調整が必要かどうかの判断を即座に行うことができる。
【００４７】
また、顧客は返信されてきた予想外観画像を見ながら、なんども上記の選択操作を繰り返して画像の変更調整要求を送信するようにすれば、そのうちに求めている色や模様、画質のものに到達することも可能であるため、品質の優れた要求どおりのレーザ加飾商品を手に入れることができる。
【００４８】
レーザのドット間隔は提供された画像のドットよりも目が粗いため濃淡がぼやけ、画質の劣った画像が生成される可能性があるが、顧客がその画像を見て、色や濃度で調整をすれば、希望どおりのものに近づけることができる。
【００４９】
なお、通信端末器２でこのような調整を行うためには、同様の要求操作を繰り返してもよいが、上述するように、色や濃度、画質等を個別に調整でき、またレーザ加工条件を直接変更できるようにしてもよい。つまり、色や濃度等を調整するための数値データを画像調整指示データとして送信してもよい。
【００５０】
具体的には、たとえば予想画像に表れる紫色に少し赤みを加えたい場合、青濃度を減らし、赤濃度を増す調整ができるようなものでもよいし、波長を直接調整できるようなダイヤルをレーザ加飾指定操作画面上に表示させるようなものであってもよい。
【００５１】
このような画像調整方法により、提供する画像そのものを変更することなく簡単な操作で微調整を行うことができる。
【００５２】
図５は、レーザ加飾サービスサーバのレーザ制御データの生成処理を示すフローチャートである。
【００５３】
レーザ加飾サービスサーバ１は、通信端末器２からの発注情報を受信すると、加飾データ１ｃに保存していた最終的な加飾データから加工制御データを自動生成し、レーザ加飾システム３に送信する（以上、２０１、２０２）。
【００５４】
レーザ加飾サービスサーバ１は、レーザ加飾システム３のレーザ加飾装置を稼動させるための制御データ（たとえばＣＡＤデータ）に変換したものを送信してもよいし、保存された加飾データをそのまま加工制御データとして送信して、レーザ加飾システム３側で実際の制御用のデータに変換させるようにしてもよい。
【００５５】
このように、加工制御データを自動生成することにより、そのデータをレーザ加飾装置に提供することができ、その結果、レーザ加工までの一連の流れをシステム化することができ、迅速かつ確実なレーザ加飾を実現することができる。
【００５６】
図６は、レーザ加飾システムの構成例を示す説明図である。この例では、システムがコーティング工程とレーザ加飾工程によって実施されるものを示している。すなわち、コーティング工程ではコーティング装置３ａがレーザ制御データに含まれる色情報にもとづいてコーティング樹脂を決定し、その樹脂のコーティング作業を実施し、また、レーザ加飾工程ではレーザ加飾装置３ｂがレーザ制御データにもとづいて樹脂コーティングされた商品に対してレーザ加飾を実施する。
【図面の簡単な説明】
【００５７】
【図１】本発明のレーザ加飾支援制御システムの実施形態を示したシステム系統図である。
【図２】本発明のレーザ加飾支援制御システムを含む全体システムの流れを示すフローチャートである。
【図３】通信端末器での画面操作手順の一例を示す図である。
【図４】レーザ加飾サービスサーバの加飾合成画像データの生成処理を示すフローチャートである。
【図５】レーザ加飾サービスサーバの加工制御データの生成処理を示すフローチャートである。
【図６】レーザ加飾システムの構成例を示す説明図である。
【符号の説明】
【００５８】
１      レーザ加飾サービスサーバ
Ａ      レーザ加飾商品画像生成手段
１ａ      商品形状データ
１ｂ      レーザ加工条件データ
１ｃ      加飾データ
１ｄ      加工制御データ
２      通信端末器
３      レーザ加飾システム
３ａ      コーティング装置
３ｂ      レーザ加飾装置
【図１】
2005177839.tif 000003
【図２】
2005177839.tif 000004
【図３】
2005177839.tif 000005
【図４】
2005177839.tif 000006
【図５】
2005177839.tif 000007
【図６】
2005177839.tif 000008